(57)【特許請求の範囲】
【請求項１】
第１の方向に延びる第１搬送路および前記第１の方向とは異なる第２の方向に延びる第２搬送路で硬貨を順に搬送する搬送部と、
前記搬送部における前記第１搬送路に設けられ、前記搬送部により搬送される硬貨の識別を行う識別部と、
前記搬送部における前記第１搬送路に設けられ、前記識別部により所定の硬貨であると識別された硬貨を前記搬送部から分岐させる所定硬貨分岐部と、
前記識別部により所定の硬貨であると識別された硬貨以外の硬貨が非所定の硬貨として前記第２搬送路から送られる非所定硬貨受入部と、
を備え、
前記搬送部における前記第２搬送路には、当該第２搬送路に沿って搬送される前記非所定の硬貨を排出するための常に開放されている排出口が設けられている、硬貨処理装置。
【請求項２】
前記排出口により前記第２搬送路から排出された前記非所定の硬貨が前記非所定硬貨受入部に送られるようになっている、請求項１記載の硬貨処理装置。
【請求項３】
前記所定の硬貨は正常な硬貨であり、前記非所定の硬貨はリジェクト硬貨である、請求項１または２記載の硬貨処理装置。
【請求項４】
前記第１の方向は、前記硬貨処理装置の筐体の奥側への方向である、請求項１乃至３のいずれか一項に記載の硬貨処理装置。
【請求項５】
前記第２の方向は、前記硬貨処理装置の筐体の手前側への方向である、請求項１乃至４のいずれか一項に記載の硬貨処理装置。
【請求項６】
前記搬送部における前記第１搬送路には開閉可能な上面ガイドが設けられており、
前記上面ガイドには、前記第１搬送路に沿って搬送される硬貨を当該第１搬送路における硬貨の搬送面に押圧する押圧部材が設けられており、前記押圧部材は硬貨の搬送方向において前記所定硬貨分岐部よりも上流側のみに設けられている、請求項１乃至５のいずれか一項に記載の硬貨処理装置。
【請求項７】
前記搬送部における前記所定硬貨分岐部よりも上流側の搬送路の材料は前記所定硬貨分岐部よりも下流側の搬送路の材料よりも耐摩耗性が大きなものとなっている、請求項１乃至６のいずれか一項に記載の硬貨処理装置。
【発明の詳細な説明】
【技術分野】
【０００１】
本発明は、硬貨の入金処理等の様々な処理を行う硬貨処理装置に関する。
【背景技術】
【０００２】
従来から、硬貨の入金処理や出金処理等の処理を行う硬貨処理機として様々なタイプのものが用いられている。このような硬貨処理機では、硬貨投入口を介して機体外から投入された１または複数の硬貨を回転盤上で貯留するとともに、回転盤上にある１または複数の硬貨を１枚ずつ機体内に設置された循環ベルトに繰り出すような硬貨繰出装置が設けられている。このような硬貨処理機として例えば特許文献１等に開示されるものが知られている。特許文献１等に開示されるような従来の硬貨処理機では、循環ベルトには例えばピン等の複数の突起部が等間隔で取り付けられており、回転盤から循環ベルトに繰り出された硬貨は当該循環ベルトに取り付けられた各突起部により１枚ずつ搬送路に沿って搬送され、選別部により例えば金種別に選別されるようになっている。
【先行技術文献】
【特許文献】
【０００３】
【特許文献１】特開２０１４−０５２９６１号公報
【発明の概要】
【発明が解決しようとする課題】
【０００４】
特許文献１等に開示されるような従来の硬貨処理機では、硬貨の搬送路において識別部および各選別部（リジェクト選別部を含む）が一直線上に配置されているため、筐体の奥行き方向の長さが大きくなってしまい、硬貨処理機の設置スペースに制約ができてしまうという問題がある。また、循環ベルトの全長に対して当該循環ベルトにおける硬貨の搬送路上にある部分の長さは半分以下となっており（すなわち、搬送路で硬貨を搬送する際に用いられる循環ベルトの部分の長さは循環ベルトの全長の半分以下となっており）、循環ベルトが設置される領域に無駄な領域（すなわち、硬貨を搬送しない領域）が多いという問題がある。また、特許文献１に開示される硬貨処理機では、識別部により正常な硬貨であると識別された硬貨以外の硬貨をリジェクト硬貨として搬送路から分岐させるためのリジェクト分岐部が硬貨の搬送路における各選別部よりも上流側に設けられているため、リジェクト分岐部の機能を各選別部の機能と同等のものにしなければならず、装置の製造コストが増加したりリジェクト分岐部で詰まり等のエラーが発生しやすくなってしまったりするという問題がある。
【０００５】
本発明は、このような点を考慮してなされたものであり、硬貨の搬送路において識別部および各選別部を一直線上に配置する場合と比較して筐体の奥行き方向の長さを小さくすることができ、よって設置スペースの省スペース化を図ることができる硬貨処理装置を提供することを目的とする。
【課題を解決するための手段】
【０００６】
本発明の硬貨処理装置は、第１の方向に延びる第１搬送路および前記第１の方向とは異なる第２の方向に延びる第２搬送路で硬貨を順に搬送する搬送部と、前記搬送部における前記第１搬送路に設けられ、前記搬送部により搬送される硬貨の識別を行う識別部と、前記搬送部における前記第１搬送路に設けられ、前記識別部により所定の硬貨であると識別された硬貨を前記搬送部から分岐させる所定硬貨分岐部と、前記識別部により所定の硬貨であると識別された硬貨以外の硬貨が非所定の硬貨として前記第２搬送路から送られる非所定硬貨受入部と、を備え、前記搬送部における前記第２搬送路には、当該第２搬送路に沿って搬送される前記非所定の硬貨を排出するための常に開放されている排出口が設けられていることを特徴とする。
【０００７】
このような硬貨処理装置によれば、識別部により所定の硬貨であると識別された硬貨を搬送部から分岐させる所定硬貨分岐部を搬送部における第１搬送路に設けるとともに、識別部により所定の硬貨であると識別された硬貨以外の硬貨が非所定の硬貨として第２搬送路から非所定硬貨受入部に送られるようになっており、第１搬送路および第２搬送路は互いに異なる向きに延びているため、硬貨の搬送路において識別部および各選別部を一直線上に配置する場合と比較して筐体の奥行き方向の長さを小さくすることができ、よって設置スペースの省スペース化を図ることができる。
【０００８】
本発明の硬貨処理装置においては、前記排出口により前記第２搬送路から排出された前記非所定の硬貨が前記非所定硬貨受入部に送られるようになっていてもよい。
【０００９】
本発明の硬貨処理装置においては、前記所定の硬貨は正常な硬貨であり、前記非所定の硬貨はリジェクト硬貨であってもよい。
【００１０】
本発明の硬貨処理装置においては、前記第１の方向は、前記硬貨処理装置の筐体の奥側への方向であってもよい。
【００１１】
本発明の硬貨処理装置においては、前記第２の方向は、前記硬貨処理装置の筐体の手前側への方向であってもよい。
【００１２】
本発明の硬貨処理装置においては、前記搬送部における前記第１搬送路には開閉可能な上面ガイドが設けられており、前記上面ガイドには、前記第１搬送路に沿って搬送される硬貨を当該第１搬送路における硬貨の搬送面に押圧する押圧部材が設けられており、前記押圧部材は硬貨の搬送方向において前記所定硬貨分岐部よりも上流側のみに設けられていてもよい。
【００１３】
本発明の硬貨処理装置においては、前記搬送部における前記所定硬貨分岐部よりも上流側の搬送路の材料は前記所定硬貨分岐部よりも下流側の搬送路の材料よりも耐摩耗性が大きなものとなっていてもよい。
【発明の効果】
【００１４】
本発明の硬貨処理装置によれば、硬貨の搬送路において識別部および各選別部を一直線上に配置する場合と比較して筐体の奥行き方向の長さを小さくすることができ、よって設置スペースの省スペース化を図ることができる。
【図面の簡単な説明】
【００１５】
【図１】本発明の実施の形態による貨幣入金機の外観を示す斜視図である。
【図２】図１に示す貨幣入金機における硬貨入金装置の内部を側方から見たときの構成を示す側面図である。
【図３】図２に示す硬貨入金装置の内部における上部領域を上方から見たときの構成を示す上面図である。
【図４】図２に示す硬貨入金装置の内部における上部領域の構成を示す斜視図である。
【図５】図２に示す硬貨入金装置の内部における上部領域の分岐部近傍の構成を示す縦断面図である。
【図６】図１に示す貨幣入金機における紙幣入金装置の内部を側方から見たときの構成を示す側面図である。
【図７】図１に示す貨幣入金機の制御系の構成を示す機能ブロック図である。
【図８】変形例に係る硬貨入金装置の内部における上部領域を上方から見たときの構成を示す上面図である。
【発明を実施するための形態】
【００１６】
以下、図面を参照して本発明の実施の形態について説明する。本実施の形態による貨幣入金機は、硬貨や紙幣等の貨幣の入金処理や計数処理を行うものである。このような貨幣入金機はスーパーマーケットやショッピングモール等の商業施設における出納室に設置されたり、自動販売機のメンテナンス会社の営業所に設置されたりして、係員が商業施設の売場（レジ）や自動販売機から回収してきた売上金を入金するようになっている。このような本実施の形態による貨幣入金機について図１乃至図７を用いて説明する。
【００１７】
まず、本実施の形態による貨幣入金機１の構成について説明する。図１は、本実施の形態による貨幣入金機１の外観を示す斜視図である。図１に示すように、本実施の形態による貨幣入金機１は略直方体形状の筐体１ａを有している。また、貨幣入金機１の筐体１ａを手前側から見て当該貨幣入金機１の左側部分には硬貨の入金処理や計数処理を行う硬貨入金装置１０が設けられており、一方、貨幣入金機１の筐体１ａを手前側から見て当該貨幣入金機１の右側部分には紙幣の入金処理や計数処理を行う紙幣入金装置５０が設けられている。また、図１に示すように、貨幣入金機１の筐体１ａの上部には上部カバー２が設けられており、この上部カバー２を上方に開くことにより操作者は硬貨入金装置１０や紙幣入金装置５０の内部にアクセスすることができるようになっている。より詳細には、上部カバー２は水平方向に延びる軸２ｐを中心として図１に示す状態から上方に回転することができるようになっている。ここで、貨幣入金機１の上部カバー２には、硬貨入金装置１０の硬貨投入部１２（後述）における硬貨投入口およびシャッタ１２ａ、ならびに紙幣入金装置５０の紙幣投入部５２（後述）における紙幣投入口およびシャッタ５２ａが設けられており、一方、硬貨入金装置１０の硬貨繰出機構１３（後述）や紙幣入金装置５０の紙幣繰出機構５４（後述）は貨幣入金機１の内部ユニット側に設けられている。また、後述する操作表示部８６、８８や操作キー８９は上部カバー２とは別に設けられており、上部カバー２を上方に開いても操作表示部８６、８８や操作キー８９の位置は変化しないようになっている。
【００１８】
また、本実施の形態の貨幣入金機１には、上部カバー２が上方に開かれたときにこのことを検知する上部カバー開閉検知センサ（図示せず）が設けられている。また、本実施の形態の貨幣入金機１には、上部カバー２を閉状態でロックするためのロック部（図示せず）が設けられており、貨幣入金機１において硬貨や紙幣の入金処理や計数処理が行われているときにはロック部により上部カバー２が閉状態にロックされて当該上部カバー２を上方に開くことができないようになっている。
【００１９】
次に、本実施の形態の貨幣入金機１における硬貨入金装置１０の構成について図２乃至図５を用いて説明する。図２は、硬貨入金装置１０の内部を側方から見たときの構成を示す側面図であり、図３は、図２に示す硬貨入金装置１０の内部における上部領域を上方から見たときの構成を示す上面図である。また、図４は、図２に示す硬貨入金装置の内部における上部領域の構成を示す斜視図であり、図５は、図２に示す硬貨入金装置の内部における上部領域の分岐部近傍の構成を示す縦断面図である。
【００２０】
図２乃至図４に示すように、硬貨入金装置１０は、筐体１ａの外部から内部に硬貨を投入するための硬貨投入部１２と、硬貨投入部１２により筐体１ａの内部に投入された硬貨を搬送するための搬送部１４と、搬送部１４により搬送される硬貨の金種、真偽、正損等の識別を行う識別部１６とを備えている。
【００２１】
より詳細には、図２乃至図４に示すように、硬貨投入部１２には、当該硬貨投入部１２に投入された硬貨を筐体１ａの内部に繰り出すための硬貨繰出機構１３が設けられている。硬貨繰出機構１３は、水平状態となるよう配置され、筐体１ａの外部から投入された硬貨が集積される円盤形状の回転盤１３ａを有しており、回転盤１３ａが図３における反時計回りの方向である正方向に回転することにより、筐体１ａの外部から投入されこの回転盤１３ａの上に集積された硬貨が１枚ずつ当該回転盤１３ａから搬送部１４に繰り出されるようになっている。また、図１に示すように、筐体１ａの上面には硬貨投入口の開閉を行うシャッタ１２ａが設けられており、当該シャッタ１２ａが開かれたときに操作者は筐体１ａの外部から硬貨投入部１２に硬貨を投入することができるようになっている。このようなシャッタ１２ａは操作者が手動で開閉を行うことができるようになっている。また、硬貨投入部１２には、筐体１ａの外部から投入され硬貨繰出機構１３の回転盤１３ａの上に集積された硬貨を検知するための投入硬貨検知センサ（図示せず）が設けられている。
【００２２】
また、搬送部１４は、図３において矢印で示す方向に循環移動を行う無端状の搬送ベルト１４ａと、当該搬送ベルト１４ａが張架される複数のプーリ１４ｂ、１４ｃとを有しており、複数のプーリ１４ｂ、１４ｃのうちある一つのプーリ１４ｃには当該プーリ１４ｃを回転駆動させる駆動モータ（図示せず）が設けられている。また、無端状の搬送ベルト１４ａには、当該搬送ベルト１４ａの長手方向に沿って複数の突起１４ｐ（図５参照）が間隔を空けて設けられており、各突起１４ｐにより硬貨が１枚ずつ押動されて搬送されるようになっている。図５において、搬送ベルト１４ａの各突起１４ｐにより押動されて搬送される硬貨を参照符号Ｃで示す。このような搬送部１４において、駆動モータがプーリ１４ｃを回転駆動させることにより無端状の搬送ベルト１４ａが図３において矢印で示す方向に循環移動し、このことにより硬貨繰出機構１３によって筐体１ａの内部に繰り出された硬貨が１枚ずつ搬送ベルト１４ａにより搬送されるようになる。
【００２３】
本実施の形態では、図３に示すように、搬送部１４において硬貨が搬送される搬送路はいわゆるＵ字形状となっている。すなわち、搬送部１４において硬貨が搬送される搬送路は、図３における右方向に硬貨が搬送される第１搬送路１４ｓおよび図３における左方向に硬貨が搬送される第２搬送路１４ｔを有しており、これらの第１搬送路１４ｓおよび第２搬送路１４ｔの間には、硬貨の搬送方向を反転させる湾曲搬送路１４ｕが形成されている。なお、第１搬送路１４ｓでは、硬貨入金装置１０の筐体の奥側への方向に硬貨が搬送され、また、第２搬送路１４ｔでは、硬貨入金装置１０の筐体の手前側への方向に硬貨が搬送されるようになっている。そして、硬貨繰出機構１３によって筐体の内部に繰り出された硬貨は、まず搬送部１４の第１搬送路１４ｓに沿って硬貨入金装置１０の筐体の奥側に向かって搬送され、後述する分岐機構１８によって搬送部１４から分岐されなかった硬貨は湾曲搬送路１４ｕにより搬送方向が反転させられた後、第２搬送路１４ｔに沿って硬貨入金装置１０の筐体の手前側に向かって搬送されるようになる。
【００２４】
また、図４に示すように、硬貨入金装置１０の内部における上部領域には、搬送部１４の一部を覆うための上面ガイド１９が設けられている。この上面ガイド１９は軸１９ｐを中心として回転自在となっており、このことにより上面ガイド１９は搬送部１４の一部を閉じる位置と搬送部１４を開く位置との間で移動することができるようになっている。なお、図４は、上面ガイド１９が搬送部１４を開いているときの状態を示している。一方、上面ガイド１９が搬送部１４の一部を閉じたときには、後述する分岐機構１８の分岐部１８ａ近傍の箇所が上面ガイド１９により覆われるようになる。このような上面ガイド１９により覆われる搬送部１４の一部の箇所を図３において二点鎖線で示す。
【００２５】
また、搬送部１４の第１搬送路１４ｓには、当該搬送部１４により搬送される硬貨を分岐させる分岐機構１８が設けられている。具体的には、分岐機構１８は、識別部１６により正常な硬貨であると識別された硬貨を当該搬送部１４の第１搬送路１４ｓから分岐させて後述する一時保留部２６に送るようになっている。より詳細に説明すると、搬送部１４の第１搬送路１４ｓにおいて硬貨が搬送される搬送面１４ｄ（図５参照）には開口１５が設けられており、分岐機構１８は、この開口１５を選択的に塞ぐよう水平方向に延びる軸１８ｂを中心として回転自在となっている分岐爪等からなる分岐部１８ａを有している。ここで、分岐部１８ａは、図５において実線で示すような開口１５を塞ぐ閉止位置と、図５において二点鎖線で示すような開口１５を開く開口位置との間で移動するようになっている。また、本実施の形態では、分岐部１８ａを上記の閉止位置と開口位置との間で移動させるソレノイド等の駆動部１８ｃ（図７参照）が設けられている。そして、搬送部１４の第１搬送路１４ｓに沿って搬送される硬貨を分岐部１８ａにより一時保留部２６に分岐させる場合には、分岐部１８ａが図５において二点鎖線で示すような開口位置に移動することにより、搬送部１４の搬送ベルト１４ａにより搬送される硬貨が開口１５を介して搬送部１４から下方に落下して一時保留部２６に送られるようになる。一方、搬送部１４の第１搬送路１４ｓに沿って搬送される硬貨を一時保留部２６に分岐させない場合には、分岐部１８ａが図５において実線で示すような閉止位置に移動することにより、搬送部１４の搬送ベルト１４ａにより搬送される硬貨は分岐部１８ａの上面に沿って搬送され、開口１５から落下せずに引き続き搬送部１４の搬送ベルト１４ａにより搬送され、第２搬送路１４ｔに送られるようになる。
【００２６】
また、図５に示すように、上面ガイド１９の下面には、搬送部１４の搬送ベルト１４ａにより搬送される硬貨を搬送面１４ｄに向かって押圧するための錘１９ａがスプリング１９ｂにより取り付けられている。このような錘１９ａは、分岐機構１８の分岐部１８ａにより選択的に塞がれる開口１５よりも硬貨の搬送方向における上流側の箇所に設けられている。このような錘１９ａおよびスプリング１９ｂからなる押圧部材が設けられていることにより、分岐機構１８により硬貨を一時保留部２６に分岐させるにあたり、搬送部１４の第１搬送路１４ｓに沿って搬送される硬貨が搬送ベルト１４ａの突起１４ｐから搬送方向前方に離間している状態となっていても、このような硬貨が錘１９ａに接触したときに当該錘１９ａが抵抗となって硬貨が搬送方向前方に動かなくなるため、循環移動を行う搬送ベルト１４ａの突起１４ｐがこの硬貨に接触するようになる。そして、この硬貨は搬送ベルト１４ａの突起１４ｐにより後ろから押動されながら搬送面１４ｄ上で搬送されるようになり、この際に当該硬貨は錘１９ａの下をくぐるようになる。このように、錘１９ａおよびスプリング１９ｂからなる押圧部材により、搬送部１４の第１搬送路１４ｓに沿って搬送される硬貨が搬送ベルト１４ａの突起１４ｐに寄せられるようになるため、当該硬貨の位置が特定されるようになり、よって分岐機構１８により硬貨を一時保留部２６に分岐させる際に分岐部１８ａの切り替えが間に合わなくなってしまうことを防止することができるようになる。
【００２７】
なお、図３に示すように、上面ガイド１９は主に搬送部１４の第１搬送路１４ｓを覆っているが、搬送部１４の第２搬送路１４ｔや湾曲搬送路１４ｕは覆っていない。後述するように、搬送部１４の第２搬送路１４ｔや湾曲搬送路１４ｕは、識別部１６により正常な硬貨ではないと識別された硬貨や識別部１６により識別することができなかった硬貨のみが通過するようになっており、これらの硬貨は開口２０に入ってリジェクト部２８に送られるが、開口２０に硬貨を入れるための分岐機構が設けられていないため、押圧部材により硬貨を搬送面１４ｄに向かって押圧する必要がない。このため、搬送部１４の第２搬送路１４ｔや湾曲搬送路１４ｕを覆う上面ガイドの設置を省略することができ、よってこれらの第２搬送路１４ｔや湾曲搬送路１４ｕで硬貨が詰まったときのエラー解除時の視認性や操作性を向上させることができる。また、搬送部１４の第２搬送路１４ｔや湾曲搬送路１４ｕを覆う必要がないため上面ガイド１９の小型化を図ることができ、よって硬貨入金装置１０の製造コストを低減することができるようになる。
【００２８】
また、図３に示すように、搬送部１４において硬貨の搬送方向における開口１５の下流側には硬貨の通過を検知する通過センサ１７が設けられている。分岐部１８ａが図５において実線で示すような閉止位置に位置することによって搬送部１４により搬送される硬貨が当該分岐部１８ａにより一時保留部２６に分岐されなかった場合には、当該硬貨が通過センサ１７を通過したときにこのことが通過センサ１７により検知されるようになる。
【００２９】
また、図３に示すように、搬送部１４の下流側端部の近傍には開口２０が設けられており、分岐機構１８により搬送部１４の第１搬送路１４ｓから分岐されなかった硬貨、すなわち識別部１６により正常な硬貨ではないと識別された硬貨や識別部１６により識別することができなかった硬貨がリジェクト硬貨として当該開口２０から下方に落下し、後述するリジェクト部２８に送られるようになっている。また、クリップ等の異物が硬貨投入部１２から筐体の内部に繰り出されて搬送部１４により搬送される場合でも、このような異物を開口２０に入れてリジェクト部２８に送ることができるようになる。ここで、図１に示すようにリジェクト部２８は筐体１ａの前面側に設けられているのに対し、開口２０は、硬貨入金装置１０の筐体の手前側に向かって硬貨が搬送される第２搬送路１４ｔの下流側端部に設けられているため、この開口２０に入る前の硬貨の搬送方向および開口２０に入った硬貨が後述するリジェクト用シュート２４により案内される方向は、筐体１ａの奥行き方向に関して略同一の方向となる。言い換えると、第２搬送路１４ｔにおいて硬貨入金装置１０の筐体の手前側に向かって搬送される硬貨が開口２０に入った後に引き続き硬貨入金装置１０の筐体の手前側に向かってリジェクト用シュート２４により斜め下方に案内されるようになる。このことにより、搬送部１４の第２搬送路１４ｔから開口２０に入った硬貨をスムーズにリジェクト部２８に送ることができるようになる。
【００３０】
本実施の形態の硬貨入金装置１０では、搬送部１４における分岐機構１８よりも上流側の搬送路１４ｍの材料は、搬送部１４における分岐機構１８よりも下流側の搬送路１４ｎの材料よりも耐摩耗性が大きなものとなっている。具体的には、搬送部１４における分岐機構１８よりも上流側の搬送路１４ｍの材料は例えば金属となっているのに対し、搬送部１４における分岐機構１８よりも下流側の搬送路１４ｎの材料は例えば樹脂となっている。ここで、上述したように、搬送部１４における分岐機構１８よりも下流側の搬送路１４ｎは、識別部１６により正常な硬貨ではないと識別された硬貨や識別部１６により識別することができなかった硬貨のみが搬送されるため、この搬送路１４ｎを通過する硬貨の枚数は、搬送部１４における分岐機構１８よりも上流側の搬送路１４ｍを通過する硬貨の枚数よりも大幅に少なくなる。このため、上流側の搬送路１４ｍについては耐摩耗性を有するようにするために当該搬送路１４ｍの材料を金属とし、一方、下流側の搬送路１４ｎについては耐摩耗性を考慮する必要がないため当該搬送路１４ｎの材料を樹脂とすることによって、搬送部１４の搬送路の材料を全て金属とする場合と比較して当該搬送部１４の軽量化を図ることができるようになる。
【００３１】
図２に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図２における左右方向）において移動可能となっており、図２において実線や二点鎖線で示される３箇所の位置に移動することができるようになっている。また、一時保留部２６は、その頂部および底部に開口が設けられた略直方体形状の枠体を有しており、一時保留部２６が中央位置にある状態では、位置固定で設けられる底板部材（図示せず）によってこの枠体の底面が塞がれて一時保留空間が形成されるようになる。また、図２における中央位置にある一時保留部２６と、搬送部１４の途中箇所に設けられた開口１５との間には一時保留用シュート２２が設けられており、分岐機構１８により搬送部１４から分岐させられて開口１５に入れられた硬貨は一時保留用シュート２２を通って一時保留部２６に送られるようになっている。また、リジェクト部２８と、搬送部１４の下流側端部の近傍に設けられた開口２０との間にはリジェクト用シュート２４が設けられており、開口２０から落下したリジェクト硬貨はリジェクト用シュート２４を通ってリジェクト部２８に送られるようになっている。
【００３２】
図１に示すように、リジェクト部２８は貨幣入金機１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００３３】
なお、図２に示すように、リジェクト用シュート２４は硬貨入金装置１０の筐体の手前側に向かって斜め下方に傾斜するようになっているが、当該リジェクト用シュート２４内に硬貨が残留してしまうことを防止するために、このリジェクト用シュート２４を水平面に対して所定の角度以上に傾斜させる必要がある。ここで、もし仮に硬貨入金装置１０の筐体の奥側に向かって硬貨が搬送される第１搬送路１４ｓからリジェクト用シュート２４に硬貨を送るようにすると、この第１搬送路１４ｓから硬貨を分岐させた後に硬貨の搬送方向を硬貨入金装置１０の筐体の奥側への向きから手前側への向きに反転させる必要があり、リジェクト用シュート２４の形状をこのような硬貨の搬送方向の反転に対応するような逆「くの字」形状に折れ曲がったものとしなければならない。このため、この場合にはリジェクト部２８の位置を下げてリジェクト用シュート２４の設置スペースを確保しなければならず、リジェクト部２８の位置が下がることにより当該リジェクト部２８からのリジェクト硬貨の取り出しに係る作業性が悪くなってしまうという問題がある。これに対し、本実施の形態では、硬貨入金装置１０の筐体の手前側に向かって硬貨が搬送される第２搬送路１４ｔから開口２０を介してリジェクト用シュート２４に硬貨を送るようにしているため、上述したように第２搬送路１４ｔにおいて硬貨入金装置１０の筐体の手前側に向かって搬送される硬貨が開口２０に入った後に引き続き硬貨入金装置１０の筐体の手前側に向かってリジェクト用シュート２４により案内されるようになり、リジェクト用シュート２４の形状を図２に示すような直線状のものとすることができるため、リジェクト部２８の位置を下げる必要がなくなる。
【００３４】
また、硬貨入金装置１０の奥行き方向において手前側に位置する一時保留部２６（すなわち、図２において左側に位置する一時保留部２６）の下方には硬貨返却箱３０が設けられており、一時保留部２６が図２における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図７参照）が設けられており、当該ロック部３１によるロック状態が解除されると、硬貨返却箱３０を筐体１ａから手前側に引き出すことができるようになる。また、図１に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００３５】
また、硬貨入金装置１０の内部における下部領域には硬貨収納カセット４０が収容されており、硬貨入金装置１０の奥行き方向において奥側に位置する一時保留部２６（すなわち、図２において右側に位置する一時保留部２６）と、硬貨収納カセット４０との間には収納用シュート３２が設けられている。このことにより、一時保留部２６が図２における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図１に示すように貨幣入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨が管理本部等で管理されるようになる。
【００３６】
次に、本実施の形態の貨幣入金機１における紙幣入金装置５０の構成について図６を用いて説明する。上述したように、図６は、紙幣入金装置５０の内部を側方から見たときの構成を示す側面図である。図６に示すように、紙幣入金装置５０は、筐体１ａの外部から紙幣が束状態で投入される紙幣投入部５２と、紙幣投入部５２に投入された紙幣を１枚ずつ筐体１ａの内部に繰り出すための紙幣繰出機構５４と、紙幣繰出機構５４により筐体１ａの内部に繰り出された紙幣を搬送するための搬送部５６と、搬送部５６により搬送される紙幣の金種、真偽、正損等の識別を行う識別部５８とを備えている。また、図１に示すように、筐体１ａの上面には紙幣投入口の開閉を行うシャッタ５２ａが設けられており、当該シャッタ５２ａが開かれたときに操作者は筐体１ａの外部から紙幣投入部５２に紙幣の束を投入することができるようになっている。このようなシャッタ５２ａは操作者が手動で開閉を行うことができるようになっている。また、紙幣投入部５２には、筐体１ａの外部から当該紙幣投入部５２に投入された紙幣を検知するための投入紙幣検知センサ（図示せず）が設けられている。
【００３７】
また、搬送部５６における識別部５８よりも下流側の箇所には、識別部５８により識別された紙幣をリジェクト部６２および一時保留部６４のうちいずれか一方に振り分ける分岐部６０が設けられている。具体的には、分岐部６０において、識別部５８により正常な紙幣であると識別された紙幣は一時保留部６４に送られるよう振り分けられ、一方、識別部５８により正常な紙幣ではないと識別された紙幣や識別部５８により識別することができなかった紙幣はリジェクト紙幣としてリジェクト部６２に送られるよう振り分けられるようになっている。
【００３８】
図１に示すように、リジェクト部６２は貨幣入金機１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００３９】
また、図６に示すように、紙幣入金装置５０の内部における下部領域において一時保留部６４の真下の位置には紙幣収納カセット７０が収容されている。そして、一時保留部６４に紙幣が一時的に保留された後、入金確定の指令が貨幣入金機１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、貨幣入金機１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣が管理本部等で管理されるようになる。
【００４０】
また、図１に示すように、貨幣入金機１の筐体１ａの前面における一時保留部６４の手前側の位置には扉１ｃが設けられているとともに、当該扉１ｃを閉状態にロックするための扉ロック部６５（図７参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が貨幣入金機１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００４１】
次に、本実施の形態による貨幣入金機１の制御系の構成について図７を用いて説明する。図７に示すように、本実施の形態による貨幣入金機１には、当該貨幣入金機１の各構成部材の制御を行う本体制御部８０が設けられている。また、硬貨入金装置１０には当該硬貨入金装置１０の各構成部材（具体的には、硬貨繰出機構１３、搬送部１４、識別部１６、通過センサ１７、分岐機構１８の駆動部１８ｃ、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、紙幣繰出機構５４、搬送部５６、識別部５８、分岐部６０、一時保留部６４、扉ロック部６５等）に接続された紙幣制御部８２が設けられており、当該紙幣制御部８２により紙幣入金装置５０の各構成部材が制御されるようになっている。図７に示すように、硬貨入金装置１０に設けられた硬貨制御部８１や紙幣入金装置５０に設けられた紙幣制御部８２はそれぞれ本体制御部８０に接続されている。
【００４２】
また、図１に示すように、貨幣入金機１の筐体１ａの上面には、プリンタ等の印字部８４、２つの操作表示部８６、８８、操作キー８９および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８４、操作表示部８６、８８、操作キー８９、読取部９０はそれぞれ本体制御部８０に接続されている。
【００４３】
印字部８４は、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）をレシートに印字するようになっている。
【００４４】
また、２つの操作表示部８６、８８のうち左側の操作表示部８６は例えばモニタからなり、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）等の様々な情報の少なくとも一部が当該操作表示部８６に表示されるようになっている。また、２つの操作表示部８６、８８のうち右側の操作表示部８８は例えばタッチパネルからなり、当該操作表示部８８には貨幣入金機１における貨幣の入金処理や計数処理の結果に係る情報等の様々な情報の少なくとも一部が表示されるとともに、操作者は操作表示部８８を操作することにより本体制御部８０に様々な指示を与えることができるようになっている。ここで、本実施の形態では、２つの操作表示部８６、８８は並列に配置されており、また、これらの２つの操作表示部８６、８８は同一の形状および大きさとなっている。なお、左側の操作表示部８６も例えばタッチパネルから構成されており、右側の操作表示部８８に加えて左側の操作表示部８６により操作者は本体制御部８０に様々な指令を与えることができるようになっていてもよい。また、操作キー８９は、例えば貨幣入金機１において入金処理が行われる際に確定待ち状態となったときに図示しないＬＥＤ等によって光が照射されることにより光るようになっており、操作者が当該操作キー８９を押下することにより入金確定の指令が本体制御部８０に与えられるようになっている。
【００４５】
また、本実施の形態の貨幣入金機１では、図１等に示すように、操作表示部８６、８８や操作キー８９を支持するための支持部４が設けられており、この支持部４を筐体１ａの手前側に開くことができるようになっている。より詳細には、操作表示部８６、８８や操作キー８９を支持するための支持部４は、上部カバー２が上方に開かれた状態においてのみ、筐体１ａの手前側に開くことができるようになっている。すなわち、上部カバー２が閉じているときには、支持部４の上端部分が図示しない係合部材によって上部カバー２に係合することにより、当該支持部４を筐体１ａの手前側に開くことができないようになっている。
【００４６】
また、図７に示すように、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが貨幣入金機１において貨幣の入金処理や計数処理、回収処理を行うことができるようになる。
【００４７】
また、図７に示すように、本体制御部８０には記憶部９４が接続されている。このような記憶部９４は貨幣入金機１の筐体１ａの内部に設けられており、当該記憶部９４には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）が記憶されるようになっている。
【００４８】
また、本体制御部８０には通信インターフェース部９８が接続されており、本体制御部８０は、この通信インターフェース部９８により、貨幣入金機１の外部に設けられた上位端末等の外部装置と信号の送受信を行うことができるようになっている。
【００４９】
次に、このような構成からなる本実施の形態の貨幣入金機１の動作について説明する。なお、以下に示す貨幣入金機１の動作は、本体制御部８０が当該貨幣入金機１の各構成部材を制御することにより、あるいは本体制御部８０が硬貨制御部８１や紙幣制御部８２を経由して硬貨入金装置１０や紙幣入金装置５０の各構成部材を制御することにより行われるようになっている。
【００５０】
本実施の形態の貨幣入金機１において硬貨や紙幣の入金処理が行われるときの動作について以下に説明する。貨幣入金機１が待機状態にあるときに、操作者が自己のＩＤカード等の記録媒体９２を読取部９０に通すことにより、当該操作者の権限が認証されると、操作表示部８６、８８には、操作者に対して硬貨入金装置１０の硬貨投入部１２や紙幣入金装置５０の紙幣投入部５２に硬貨や紙幣を投入することを促す旨のガイダンス画面が表示されるようになる。そして、操作者が貨幣入金機１の筐体１ａの上面に設けられたシャッタ１２ａやシャッタ５２ａを手動で開くことにより筐体１ａの外部から硬貨や紙幣を硬貨投入部１２や紙幣投入部５２に投入した後、操作表示部８８に表示されているスタートボタンを押下すると、硬貨投入部１２や紙幣投入部５２に投入された硬貨や紙幣は筐体１ａの内部に繰り出されるようになる。具体的には、硬貨投入部１２に投入された硬貨は硬貨繰出機構１３により１枚ずつ筐体１ａの内部に繰り出され、搬送部１４により搬送される。この際に、識別部１６により硬貨の金種、真偽、正損等の識別が行われる。識別部１６により正常な硬貨であると識別された硬貨は分岐機構１８の分岐部１８ａにより搬送部１４から分岐させられ、一時保留用シュート２２を介して一時保留部２６に送られ、この一時保留部２６に一時的に保留される。この際に、一時保留部２６は図２における中央の位置に維持される。また、識別部１６により正常な硬貨ではないと識別された硬貨や識別部１６により識別することができなかった硬貨はリジェクト硬貨として開口２０から落下し、リジェクト用シュート２４を介してリジェクト部２８に送られる。上述したように、貨幣入金機１の筐体１ａの前面側から操作者がリジェクト部２８にアクセスすることができるようになっているため、リジェクト部２８にリジェクト硬貨が送られると、操作者はリジェクト部２８からリジェクト硬貨を取り出して硬貨投入部１２に再投入等することができるようになる。
【００５１】
また、紙幣投入部５２に紙幣が投入された後、操作表示部８８に表示されているスタートボタンが押下されると、紙幣投入部５２に投入された紙幣は紙幣繰出機構５４によって１枚ずつ筐体１ａの内部に繰り出され、搬送部５６により搬送される。この際に、識別部５８により紙幣の金種、真偽、正損等の識別が行われる。識別部５８により正常な紙幣であると識別された硬貨は分岐部６０により一時保留部６４に送られ、この一時保留部６４に一時的に保留される。また、識別部５８により正常な紙幣ではないと識別された紙幣や識別部５８により識別することができなかった紙幣はリジェクト紙幣としてリジェクト部６２に送られる。上述したように、貨幣入金機１の筐体１ａの前面側から操作者がリジェクト部６２にアクセスすることができるようになっているため、リジェクト部６２にリジェクト紙幣が送られると、操作者はリジェクト部６２からリジェクト紙幣を取り出して紙幣投入部５２に再投入等することができるようになる。
【００５２】
硬貨投入部１２に投入された硬貨が全て硬貨繰出機構１３により筐体１ａの内部に繰り出されて一時保留部２６またはリジェクト部２８に送られるとともに、紙幣投入部５２に投入された紙幣が全て紙幣繰出機構５４により筐体１ａの内部に繰り出されて一時保留部６４またはリジェクト部６２に送られると、操作表示部８８には、操作者に対して入金確定の承認を求めるガイダンス画面が表示される。また、操作表示部８６には取引中における硬貨や紙幣の計数結果に係る情報が表示される。具体的には、操作表示部８６において、取引中における硬貨入金装置１０や紙幣入金装置５０による硬貨や紙幣の計数金額がカウントアップ方式により表示される。また、この際に、操作キー８９が光るようになり、当該操作キー８９が確定キーであることが示されるようになる。そして、操作者が操作キー８９を押下することにより入金確定の指令を本体制御部８０に入力すると、一時保留部２６は図２における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる。また、入金確定の指令が本体制御部８０に入力されると、一時保留部６４に一時的に保留された紙幣が当該一時保留部６４から紙幣収納カセット７０に送り込まれ、この紙幣収納カセット７０に収納されるようになる。
【００５３】
一方、操作者に対して入金確定の承認を求めるガイダンス画面が操作表示部８８に表示されているときに、操作者が操作キー８９を押下する代わりに操作表示部８８に表示されている返却ボタンを押下することにより返却の指令を本体制御部８０に入力すると、一時保留部２６は図２における中央の位置から左側の位置に移動し、この一時保留部２６に一時的に保留された硬貨が当該一時保留部２６から自重により落下して硬貨返却箱３０に送られるようになる。続いて、ロック部３１によるロック状態が解除され、硬貨返却箱３０は筐体１ａから手前側に引き出し可能となる。その後、操作者が把持部分３０ａを把持して硬貨返却箱３０を筐体１ａから手前側に引き出すことにより、硬貨返却箱３０に収納されている硬貨が筐体１ａの外部に返却される。また、返却の指令が本体制御部８０に入力されると、扉ロック部６５による扉１ｃのロック状態が解除され、操作者は扉１ｃを開くことにより一時保留部６４から紙幣を取り出すことができるようになる。このようにして、一時保留部６４に収納されている紙幣が筐体１ａの外部に返却される。
【００５４】
本実施の形態の貨幣入金機１では、上述したように、硬貨の入金処理および紙幣の入金処理は同時並行的に行われ、単一の入金確定の指令あるいは返却の指令によって硬貨および紙幣の両方の収納動作または返却動作が行われるようになっている。
【００５５】
以上のような構成からなる本実施の形態の硬貨入金装置１０によれば、搬送部１４は、互いに異なる方向に延びる第１搬送路１４ｓおよび第２搬送路１４ｔから構成されており、第１搬送路１４ｓには、識別部１６により正常な硬貨であると識別された硬貨を搬送部１４から分岐させる分岐機構１８が設けられている。また、識別部１６により正常な硬貨であると識別された硬貨以外の硬貨がリジェクト硬貨として第２搬送路１４ｔからリジェクト部２８に送られるようになっている。このように、分岐機構１８が設けられた第１搬送路１４ｓおよびリジェクト部２８に送られるべき硬貨が搬送される第２搬送路１４ｔは互いに異なる向きに延びているため、硬貨の搬送路において識別部１６および各選別部（分岐機構）を一直線上に配置する場合と比較して筐体の奥行き方向の長さを小さくすることができ、よって設置スペースの省スペース化を図ることができるようになる。
【００５６】
より詳細に説明すると、従来技術の硬貨入金装置では、入金硬貨の搬送路において識別部および各選別部（リジェクト選別部を含む）が一直線上に配置されていた。しかしながら、このような従来技術の硬貨入金装置では、筐体の奥行き方向の長さが大きくなってしまい、硬貨入金装置の設置スペースに制約ができてしまうという問題があった。また、搬送部における循環ベルトの全長に対して当該循環ベルトにおける硬貨の搬送路上にある部分の長さは半分以下となっており、循環ベルトが設置される領域に無駄な領域（すなわち、硬貨を搬送しない領域）が多いという問題があった。また、識別部により正常な硬貨であると識別された硬貨以外の硬貨をリジェクト硬貨として搬送部から分岐させるためのリジェクト分岐部を硬貨の搬送方向における各選別部よりも上流側に設けた場合には、リジェクト分岐部の機能を各選別部の機能と同等のものにしなければならないが、このような硬貨入金装置では、製造コストが増加したりリジェクト分岐部で詰まり等のエラーが発生しやすくなってしまったりするという問題があった。これに対し、本実施の形態の硬貨入金装置１０では、識別部１６により正常な硬貨であると識別された硬貨を搬送部１４から分岐させる分岐機構１８を第１搬送路１４ｓに設けるとともに、識別部１６により正常な硬貨であると識別された硬貨以外の硬貨をリジェクト硬貨として第２搬送路１４ｔからリジェクト部２８に送るようにしており、また、第１搬送路１４ｓおよび第２搬送路１４ｔは互いに異なる向きに延びているため、上述した従来技術の硬貨入金装置の問題を解消することができるようになる。
【００５７】
また、本実施の形態の硬貨入金装置１０においては、上述したように、搬送部１４における第２搬送路１４ｔには、当該第２搬送路１４ｔに沿って搬送されるリジェクト硬貨を排出するための排出口として開口２０が設けられており、この開口２０により第２搬送路１４ｔから排出されたリジェクト硬貨がリジェクト部２８に送られるようになっている。
【００５８】
また、本実施の形態の硬貨入金装置１０においては、上述したように、搬送部１４の第１搬送路１４ｓが延びる方向（第１の方向）は、硬貨入金装置１０の筐体の奥側への方向であり、また、搬送部１４の第２搬送路１４ｔが延びる方向（第２の方向）は、硬貨入金装置１０の筐体の手前側への方向である。ここで、搬送部１４の第２搬送路１４ｔが硬貨入金装置１０の筐体の手前側に向かって延びることにより、第２搬送路１４ｔにおいて硬貨入金装置１０の筐体の手前側に向かって搬送される硬貨が開口２０に入った後に引き続き硬貨入金装置１０の筐体の手前側に向かってリジェクト用シュート２４により案内されるようになる。このことにより、搬送部１４の第２搬送路１４ｔから開口２０に入った硬貨をスムーズにリジェクト部２８に送ることができるようになる。また、リジェクト用シュート２４の形状を図２に示すような直線状のものとすることができるため、リジェクト部２８の位置を下げる必要がなくなり、リジェクト部２８からのリジェクト硬貨の取り出しに係る作業性を向上させることができる。
【００５９】
また、本実施の形態の硬貨入金装置１０においては、上述したように、搬送部１４における第１搬送路１４ｓには開閉可能な上面ガイド１９が設けられており、この上面ガイド１９には、第１搬送路１４ｓに沿って搬送される硬貨を当該第１搬送路１４ｓにおける硬貨の搬送面１４ｄに押圧する押圧部材（具体的には、錘１９ａおよびスプリング１９ｂ）が設けられている。このような押圧部材が設けられていることにより、分岐機構１８により硬貨を一時保留部２６に分岐させるにあたり、搬送部１４の第１搬送路１４ｓに沿って搬送される硬貨が搬送ベルト１４ａの突起１４ｐから搬送方向前方に離間している状態となっていても、このような硬貨が押圧部材（具体的には、錘１９ａ）に接触したときに当該押圧部材が抵抗となって硬貨が搬送方向前方に動かなくなるため、循環移動を行う搬送ベルト１４ａの突起１４ｐがこの硬貨に接触するようになる。そして、この硬貨は搬送ベルト１４ａの突起１４ｐにより後ろから押動されながら搬送面１４ｄ上で搬送されるようになり、この際に当該硬貨は押圧部材の下をくぐるようになる。このように、押圧部材によって搬送部１４の第１搬送路１４ｓに沿って搬送される硬貨が搬送ベルト１４ａの突起１４ｐに寄せられるようになるため、当該硬貨の位置が特定されるようになり、よって分岐機構１８により硬貨を一時保留部２６に分岐させる際に分岐部１８ａの切り替えが間に合わなくなってしまうことを防止することができるようになる。
【００６０】
また、本実施の形態の硬貨入金装置１０においては、上述したように、搬送部１４における分岐機構１８よりも上流側の搬送路１４ｍの材料は分岐機構１８よりも下流側の搬送路１４ｎの材料よりも耐摩耗性が大きなものとなっている。この場合には、搬送部１４における分岐機構１８よりも下流側の搬送路１４ｎについて耐摩耗性を考慮する必要がなく樹脂等の比較的軽量の材料から形成することができるため、搬送部１４の搬送路の材料を全て例えば金属とする場合と比較して当該搬送部１４の軽量化を図ることができるようになる。
【００６１】
なお、本実施の形態による硬貨入金装置は、上述したような態様に限定されることはなく、様々な変更を加えることができる。
【００６２】
例えば、分岐機構１８により搬送部１４から分岐される硬貨は、識別部１６により正常な硬貨ではないと識別された硬貨や識別部１６により識別することができなかった硬貨に限定されることはない。変形例に係る硬貨入金装置において、識別部１６により所定の硬貨であると識別された硬貨を搬送部１４の第１搬送路１４ｓから分岐機構１８により分岐させ、識別部１６により所定の硬貨であると識別された硬貨以外の硬貨が非所定の硬貨として第２搬送路１４ｔから所定の硬貨受入部（図示せず）に送られるようになっていてもよい。ここで、所定の硬貨受入部としては、例えばリジェクト部２８が用いられる。より詳細には、例えば、所定の硬貨として予め指定された特定金種の硬貨（例えば、１００円硬貨）が設定されている場合には、識別部１６により識別された硬貨のうちこの特定金種の硬貨のみが搬送部１４の第１搬送路１４ｓから分岐機構１８により分岐させられ、一方、識別部１６により正常な硬貨ではないと識別された硬貨に加えて、正常な硬貨ではあるが予め指定された特定金種ではない硬貨（すなわち、１００円以外の金種の硬貨）は全て非所定の硬貨として第１搬送路１４ｓから分岐させられることなく第２搬送路１４ｔに送られ、この第２搬送路１４ｔから所定の硬貨受入部に送られるようになる。
【００６３】
このような変形例に係る硬貨入金装置によれば、搬送部１４は、互いに異なる方向に延びる第１搬送路１４ｓおよび第２搬送路１４ｔから構成されており、第１搬送路１４ｓには、識別部１６により所定の硬貨であると識別された硬貨を搬送部１４から分岐させる所定硬貨分岐部（具体的には、分岐機構１８）が設けられている。また、識別部１６により所定の硬貨であると識別された硬貨以外の硬貨が非所定の硬貨として第２搬送路１４ｔから非所定硬貨受入部（具体的には、リジェクト部２８）に送られるようになっている。このような変形例に係る硬貨入金装置でも、分岐機構１８が設けられた第１搬送路１４ｓおよび非所定硬貨受入部に送られるべき硬貨が搬送される第２搬送路１４ｔは互いに異なる向きに延びているため、硬貨の搬送路において識別部１６および各選別部（分岐機構）を一直線上に配置する場合と比較して筐体の奥行き方向の長さを小さくすることができ、よって設置スペースの省スペース化を図ることができるようになる。
【００６４】
また、硬貨入金装置１０において硬貨投入部１２に投入された硬貨を筐体１ａの内部に繰り出すための硬貨繰出機構は、水平状態となるよう配置された円盤形状の回転盤１３ａを有するものに限定されることはない。硬貨投入部１２に投入された硬貨を筐体１ａの内部に繰り出すための硬貨繰出機構の他の構成例として、硬貨投入部１２の底部近傍に設けられた循環ベルトからなる繰出ベルトを有するものが用いられるようになっていてもよい。具体的には、硬貨投入部１２に投入された硬貨は繰出ベルト上に集積されるようになる。また、繰出ベルトの上方には硬貨１枚分の厚みよりもわずかに大きな隙間を隔てて逆転ローラが設けられており、繰出ベルトが駆動されたときに、この繰出ベルトと逆転ローラとの間の隙間を通過した硬貨が一層一列状態で筐体の内部に繰り出されるようになる。このような繰出ベルト等からなる硬貨繰出機構が設けられた硬貨入金装置でも本発明の原理を適用することができる。
【００６５】
また、搬送部は、複数の突起１４ｐが設けられた無端状の搬送ベルト１４ａを有するものに限定されることはない。搬送部として、突起が設けられておらずベルト本体で硬貨を搬送面１４ｄに押しつけながら搬送するものが用いられてもよい。別の構成の搬送部として、複数のベルト搬送機構を組み合わせたものが用いられてもよく、この場合、突起が設けられたベルトと、突起が設けられていない丸ベルトとを組み合わせたものが用いられてもよい。
【００６６】
また、上述したように、搬送部１４において硬貨の搬送方向における開口１５の下流側には硬貨の通過を検知する通過センサ１７が設けられているが、硬貨が通過センサ１７を通過する際にこの通過センサ１７のレンズ面に硬貨が接触する場合には、通過センサ１７を通過する硬貨によってこの通過センサ１７のレンズ面のクリーニングを行うことができるようになる。具体的には、通過センサ１７のレンズ面に付着した塵等の異物を、この通過センサ１７を通過する硬貨によって除去することができるようになる。しかしながら、識別部１６により正常な硬貨ではないと識別された硬貨や識別部１６により識別することができなかった硬貨のみを分岐機構１８により搬送部１４から分岐させなかった場合には、通過センサ１７を通過する硬貨の枚数が少なくなってしまい、この通過センサ１７のレンズ面のクリーニングを行う頻度が少なくなってしまう。このため、変形例に係る硬貨入金装置において、識別部１６による硬貨の識別結果に関係なく、搬送部１４の第１搬送路１４ｓに沿って搬送される硬貨を一定の割合（例えば、一万枚に一枚の割合）で分岐機構１８により搬送部１４から分岐させずに開口１５の下流側に送るようにしてもよい。この場合には、分岐機構１８により搬送部１４から分岐されずに開口１５の下流側に送られた硬貨によって通過センサ１７のレンズ面のクリーニングを定期的に行うことができるようになる。
【００６７】
また、別の変形例に係る硬貨入金装置として、図８に示すような構成のものが用いられてもよい。図８に示す硬貨入金装置１０ａでは、搬送部１４の第１搬送路１４ｓに２つの開口１５ａ、１５ｂが設けられているとともに、各開口１５ａ、１５ｂに対応するよう２つの分岐機構１８ｐ、１８ｑが設けられている。このような硬貨入金装置１０ａの構成の詳細について以下に説明する。なお、図８に示す硬貨入金装置１０ａの各分岐機構１８ｐ、１８ｑの構成は、図１乃至図７に示す硬貨入金装置１０の分岐機構１８の構成と略同一となっている。また、図８に示す硬貨入金装置１０ａの各構成部材について、図１乃至図７に示す硬貨入金装置１０と同一の構成部材については同一の参照符号を付してその説明を省略する。
【００６８】
図８に示す硬貨入金装置１０ａでは、図１乃至図７に示す硬貨入金装置１０と同様に、搬送部１４は、互いに異なる方向に延びる第１搬送路１４ｓおよび第２搬送路１４ｔから構成されている。また、第１搬送路１４ｓには、識別部１６により正常な硬貨であると識別された硬貨を搬送部１４から分岐させて各開口１５ａ、１５ｂに入れるための複数（具体的には、２つ）の分岐機構１８ｐ、１８ｑが設けられている。ここで、各分岐機構１８ｐ、１８ｑに対応して設けられた開口１５ａ、１５ｂにはそれぞれ一時保留用シュートが接続されている。また、各開口１５ａ、１５ｂに対応するよう２つの一時保留部が搬送部１４の下方に設けられており、これらの２つの一時保留部に対応するよう２つの硬貨収納カセットが硬貨入金装置１０ａの筐体の内部における下部領域に設けられている。また、識別部１６により正常な硬貨であると識別された硬貨以外の硬貨がリジェクト硬貨として第２搬送路１４ｔから開口２０に送られ、この開口２０からリジェクト部２８（図８では図示せず）に送られるようになっている。このような図８に示す硬貨入金装置１０ａでも、各分岐機構１８ｐ、１８ｑが設けられた第１搬送路１４ｓおよびリジェクト部２８に送られるべき硬貨が搬送される第２搬送路１４ｔは互いに異なる向きに延びているため、硬貨の搬送路において識別部１６および各選別部（分岐機構）を一直線上に配置する場合と比較して筐体の奥行き方向の長さを小さくすることができ、よって設置スペースの省スペース化を図ることができるようになる。
【００６９】
また、図８に示す硬貨入金装置１０ａでは、２つの分岐機構１８ｐ、１８ｑにより、搬送部１４から硬貨を金種別に分岐させて各開口１５ａ、１５ｂに異なる金種の硬貨を入れることにより各硬貨収納カセットに収納される硬貨の金種を互いに異なるものとすることができる。また、図８に示す硬貨入金装置１０ａにおける別の運用方法では、釣銭として用いられる店舗用の硬貨を一方の分岐機構１８ｐにより搬送部１４から分岐させて開口１５ａに入れるようにし、一方、硬貨入金装置１０ａから回収されるべき警送会社用の硬貨を他方の分岐機構１８ｑにより搬送部１４から分岐させて開口１５ｂに入れるようにすることによって、店舗用の硬貨および警送会社用の硬貨を別々の硬貨収納カセットに収納させるようにしてもよい。
【００７０】
また、本発明では、少なくとも硬貨を入金可能な硬貨入金装置が単体で用いられるようになっていてもよい。すなわち、図１等に示す貨幣入金機１において紙幣入金装置５０の設置が省略されるようになっていてもよい。
【符号の説明】
【００７１】
１      貨幣入金機
１ａ    筐体
１ｂ、１ｃ  扉
２      上部カバー
２ｐ    軸
４      支持部
１０、１０ａ  硬貨入金装置
１２    硬貨投入部
１２ａ  シャッタ
１３    硬貨繰出機構
１３ａ  回転盤
１４    搬送部
１４ａ  搬送ベルト
１４ｂ、１４ｃ  プーリ
１４ｄ  搬送面
１４ｍ、１４ｎ  搬送路
１４ｐ  突起
１４ｓ  第１搬送路
１４ｔ  第２搬送路
１４ｕ  湾曲搬送路
１５、１５ａ、１５ｂ  開口
１６    識別部
１７    通過センサ
１８    分岐機構
１８ａ  分岐部
１８ｂ  軸
１８ｃ  駆動部
１８ｐ、１８ｑ  分岐機構
１９    上面ガイド
１９ａ  錘
１９ｂ  スプリング
１９ｐ  軸
２０    開口
２２    一時保留用シュート
２４    リジェクト用シュート
２６    一時保留部
２８    リジェクト部
３０    硬貨返却箱
３０ａ  把持部分
３１    ロック部
３２    収納用シュート
４０    硬貨収納カセット
５０    紙幣入金装置
５２    紙幣投入部
５２ａ  シャッタ
５４    紙幣繰出機構
５６    搬送部
５８    識別部
６０    分岐部
６２    リジェクト部
６４    一時保留部
６５    扉ロック部
７０    紙幣収納カセット
８０    本体制御部
８１    硬貨制御部
８２    紙幣制御部
８４    印字部
８６、８８  操作表示部
８９    操作キー
９０    読取部
９２    記録媒体
９２ａ  記憶部
９４    記憶部
９８    通信インターフェース部
【図１】
0006490483.tif 000002
【図２】
0006490483.tif 000003
【図３】
0006490483.tif 000004
【図４】
0006490483.tif 000005
【図５】
0006490483.tif 000006
【図６】
0006490483.tif 000007
【図７】
0006490483.tif 000008
【図８】
0006490483.tif 000009